(57)【要約】【課題】発射通路から遊技領域への球の移動を円滑にする。【解決手段】板状構造体３が、周辺飾り構造体２の裏側から板状構造体収納部５０に収納され、周辺飾り構造体２に取り付けられることによって、板状構造体３の球の接触する前面である遊技領域４０と発射通路形成部１６の球の接触する前面５１とが同一面内に配置され、球が発射通路３５から遊技領域４０に移動する場合、球が前面５１から遊技領域４０に衝突することなく円滑に移動することができる。【選択図】図１
2005185401.tif 000002
【特許請求の範囲】
【請求項１】
周辺飾り構造体が、底部の外側と内側から前側に突出した相対峙する外バンドと内バンドとからなる球を遊技領域に誘導する発射通路と、発射通路の底部と発射通路の外バンドと内バンドとの遊技領域への延長部で囲まれる前後方向に貫通する丸形開口部と、周辺飾り構造体の裏面から発射通路における底部の球の接触する前面と同一面となる深さに丸形開口部における外バンドと内バンドとの延長部に形成された板状構造体収納部とを備え、板状構造体が周辺飾り構造体の裏面から板状構造体収納部に格納されて周辺飾り構造体に取り付けられることによって、板状構造体が丸形開口部の後側を塞いで丸形開口部の内部に球の飛び交う遊技領域を形成し、板状構造体の球の接触する前面と周辺飾り構造体における底部の球の接触する前面とが同一面内に配置されたことを特徴とするパチンコ機の遊技盤。
【請求項２】
板状構造体が光透過性の有る合成樹脂により形成されたことを特徴とする請求項１記載のパチンコ機の遊技盤。
【請求項３】
板状構造体の合成樹脂が無色であることを特徴とする請求項１記載のパチンコ機の遊技盤。
【発明の詳細な説明】
【技術分野】
【０００１】
本発明は、発射通路から遊技領域への球の移動が円滑なパチンコ機の遊技盤に関する。
【背景技術】
【０００２】
パチンコ機の遊技盤には、発射通路と丸形開口部とを備えた周辺飾り構造体が板状構造体の前面に取り付けられ、板状構造体の前面が発射通路の底部と発射通路の外バンドと内バンドとの遊技領域への延長部で囲まれる前後方向に貫通する丸形開口部の後側を塞いで丸形開口部の内部に球の飛び交う遊技領域を形成したものが知られている。しかしながら、発射通路の底部における球の接触する前面が板状構造体の遊技領域における球の接触する前面よりも発射通路の底部の厚さだけ前側に突出した段差を有する構造であるので、球が発射通路から遊技領域に移動する場合、発射通路の底部における前面から板状構造体の遊技領域における前面に斜めに衝突し、発射通路から遊技領域への球の移動が不安定であるという欠点がある。
【特許文献１】特開平７−２６５５２２号公報
【発明の開示】
【発明が解決しようとする課題】
【０００３】
発明が解決しようとする問題点は、発射通路から遊技領域への球の移動が不安定であるという点である。
【課題を解決するための手段】
【０００４】
本発明に係るパチンコ機の遊技盤は、周辺飾り構造体が、底部の外側と内側から前側に突出した相対峙する外バンドと内バンドとからなる球を遊技領域に誘導する発射通路と、発射通路の底部と発射通路の外バンドと内バンドとの遊技領域への延長部で囲まれる前後方向に貫通する丸形開口部と、周辺飾り構造体の裏面から発射通路における底部の球の接触する前面と同一面となる深さに丸形開口部における外バンドと内バンドとの延長部に形成された板状構造体収納部とを備え、板状構造体が周辺飾り構造体の裏面から板状構造体収納部に格納されて周辺飾り構造体に取り付けられることによって、板状構造体が丸形開口部の後側を塞いで丸形開口部の内部に球の飛び交う遊技領域を形成し、板状構造体の球の接触する前面と周辺飾り構造体における発射通路の底部の球の接触する前面とが同一面内に配置されたことを最も主要な特徴とする。さらに、板状構造体が光透過性の有る合成樹脂により形成されたり、板状構造体の合成樹脂が無色であることも特徴とする。
【発明の効果】
【０００５】
本発明に係るパチンコ機の遊技盤は、板状構造体が板状構造体収納部に収納されて周辺飾り構造体に取り付けられることによって、板状構造体の球の接触する前面である遊技領域と発射通路の球の接触する前面とが同一面内に配置されているので、球が発射通路から遊技領域に移動する場合、球が上記発射通路の前面から遊技領域に衝突することなく円滑に移動するという利点がある。板状構造体が光透過性の有る合成樹脂により形成されれば、板状構造体の裏面に、プロジェクターと呼ばれる映写装置や液晶表示装置などのような電気的に表示形態を変えられる画像を表示画面に表示する表示器を設け、当該表示器により表示された画像を遊技盤の前側から板状構造体を通して遊技者に見えるようにすることができるという利点がある。板状構造体の合成樹脂が無色であれば、遊技者が遊技盤の前側から板状構造体を通して見る画像を、一層、鮮明な物にすることができるという利点がある。
【発明を実施するための最良の形態】
【０００６】
図１−図１０は、一実施形態である。図１は、遊技盤１の周辺飾り構造体２と板状構造体３との発射通路の周りの断面を示す。図２は、遊技盤１の各構成部材を分解し前側から示す。図３は、周辺飾り構造体２と板状構造体３とを分解し前側から示す。図４および図５は、遊技盤１を前側から示す。図６は周辺飾り構造体２と板状構造体３とを分解し裏側から示す。図７のａ図は、周辺飾り構造体２を図６に示すＡ−Ａ線に沿い切断した断面を示す。図７のｂ図は、周辺飾り構造体２を図６に示すＢ−Ｂ線に沿い切断した断面を示す。図８は、遊技盤１を裏側から示す。図９は、パチンコ機の遊技機枠７１に遊技盤１を取り付ける場合を前側から分解して示す。図１０は、パチンコ機の遊技盤１と映写装置６０と遊技機枠７１との関係を示す。
【０００７】
図２を参照し、パチンコ機における遊技盤１の前側の構造について説明する。遊技盤１は、周辺飾り構造体２と板状構造体３とを備える。周辺飾り構造体２は、周辺飾り基体４と外バンド押さえ後側体５と外バンド押さえ前側体６と外バンド７と外バンド支持体８と取付部９と証紙台１０と戻り球防止弁１１と球反発体１２および不正防止バンド１３を備える。周辺飾り基体４は、非遊技領域を形成する遮光性の有る有色な合成樹脂により、方形状の内部に、丸形開口部１５と発射通路形成部１６と弧状突起１７と内バンド１８と弁取付部１９とアウト口周縁部２０とアウト口２１と右周辺飾り部２２およびねじ挿入孔孔２３を備えた形態に、形成される。丸形開口部１５は、周辺飾り基体４の中央に、前後方向に貫通する。発射通路形成部１６は、丸形開口部１５の左側部に沿う縦長な形状である。弧状突起１７は、発射通路形成部１６の左側部から丸形開口部１５の上部弧状縁部に沿う、上方に凸となる弧状であって、周辺飾り基体４の前面から前側に突出する。内バンド１８は、発射通路形成部１６の右側部から丸形開口部１５の下部弧状縁部に沿う、下方に凸となる弧状であって、周辺飾り基体４の前面から前側に弧状に突出する。弧状突起１７と内バンド１８との間に存在する板状の部分が、発射通路形成部１６である。弁取付部１９は、発射通路形成部１６の方向における内バンド１８の上端部にスリット状に設けられる。アウト口周縁部２０は、内バンド１８における下部弧状縁部の最下部において、アウト口２１を囲むように、内バンド１８から内側に突出した格好に連接される。アウト口２１は、球を遊技盤１の前側から裏側に排出する孔である。右周辺飾り部２２は、内バンド１８から外側に連接された意匠部であって、球反発体収納部２４と不正防止バンド取付部２５とを備える。球反発体収納部２４は、上端部に丸形開口部１５を臨むとともに右周辺飾り部２２の裏面から前側に窪む形態である。不正防止バンド取付部２５は、右周辺飾り部２２の下縁部に、左右方向に直線的に形成される。ねじ挿入孔孔２３は、発射通路形成部１６および丸形開口部１５の周囲において、周辺飾り基体４に前後方向に貫通する。
【０００８】
外バンド支持体８は、ステンレスのような金属からなる直線的な棒である。周辺飾り基体４が形成される場合、外バンド支持体８がインサート部材として周辺飾り基体４を形成する成形型の内部に装着され、周辺飾り基体４を形成する成形材料が当該成形型の内部に供給されることによって、外バンド支持体８の前部が弧状突起１７の端部に位置し、周辺飾り基体４から前側に突出した形態で、外バンド支持体８が周辺飾り基体４に固定的に設けられる。取付部９は、遊技盤１を図９に示す遊技機枠７１に固定するためのものであって、取付部９と別材質の合成樹脂から形成され、周辺飾り基体４の右側に位置する上下隅部に図外のタッピングスクリューのような止ねじで取り付けられる。取付部９は、ロック挿入孔２６を備える。証紙台１０は、周辺飾り基体４の右側の下部に、図外の軸で、前後方向に開閉可能に取り付けられる。証紙台１０が、図２に示すように、周辺飾り基体４との連結部である図外の軸を開閉中心として前方に開かれることによって、下部の取付部９が、周辺飾り基体４の前側から見える格好となる。そして、証紙台１０が、上記軸を開閉中心として後方に閉じられ、証紙台１０が、周辺飾り基体４に形成された証紙台受部２７で受け止められることによって、取付部９が、証紙台１０で覆われて周辺飾り基体４の前側から見えなくなる。閉じられた証紙台１０の前面には、図外の証紙が、貼り付けられる。証紙は、遊技盤１が、図外の組合の検査に合格して販売の認可を受けたことを証明するためのものである。
【０００９】
外バンド押さえ後側体５と外バンド押さえ前側体６とは、外バンド７を前後方向で挟むものである。外バンド押さえ後側体５は、後溝２９と支持体挿入孔３０およびねじ挿入孔３１を備える。後溝２９は、発射通路形成部１６の左側部から丸形開口部１５の下部弧状縁部に沿って、上方に凸となる弧状であって、外バンド押さえ後側体５の前面に弧状に形成される。支持体挿入孔３０は、外バンド支持体８を挿入する孔であって、後溝２９の端部に位置する。外バンド押さえ前側体６は、前溝３３を備える。前溝３３は、発射通路形成部１６の左側部から丸形開口部１５の下部弧状縁部に沿って、上方に凸となる弧状であって、外バンド押さえ前側体６の裏面に弧状に形成される。外バンド７は、ステンレスのような金属帯板状であって、一端にカール部と呼ばれる嵌合部３５を前後方向に貫通する筒状に備える。外バンド押さえ前側体６の前面は、外バンド７から外側に配置される意匠部を形成する。ねじ挿入孔３１は、ねじ挿入孔孔２３と位置が対応し、後溝２９の周囲において、外バンド押さえ後側体５に前後方向に貫通する。戻り球防止弁１１は、外バンド７よりも厚さの薄い薄帯板状のステンレスまたは合成樹脂により形成される板ばねであって、一端に半円弧状の基部３６を備える。球反発体１２および不正防止バンド１３は、ゴム又は合成樹脂からなる弾性体である。
【００１０】
そして、外バンド押さえ後側体５の裏面が、周辺飾り基体４の前面に接触し、外バンド押さえ後側体５の弧状縁が、弧状突起１７の外面に接触し、外バンド支持体８が、支持体挿入孔３０から外バンド押さえ後側体５の前側に突出するように、外バンド押さえ後側体５が、周辺飾り基体４の前面に重ね合わされる。外バンド７の嵌合部３５が、外バンド押さえ後側体５より前側に突出した外バンド支持体８に嵌め込まれ、外バンド７の後側縁が後溝２９に挿入される。外バンド押さえ前側体６の前溝３３が、外バンド７の前側縁に嵌め込まれる。その後、タッピングスクリューのような止ねじ３７が、周辺飾り基体４の裏側からねじ挿入孔２３とねじ挿入孔３１を経由して外バンド押さえ前側体６に締結されることで、外バンド押さえ後側体５と外バンド押さえ前側体６とが、外バンド７を前後方向で挟んで支持する。また、戻り球防止１１の基部３６が、弁取付部１９に前側から挿入され、戻り球防止１１が、内バンド１８の一端部に取り付けられる。球反発体２１が、周辺飾り基体４の裏側から球反発体収納部２４に圧入されることで周辺飾り基体４に装着され、球反発体２１の一端部が、周辺飾り基体４から丸形開口部１５に突出する。不正防止バンド１３が、周辺飾り基体４の前側から不正防止バンド取付部２５に取り付けられる。
【００１１】
これによって、周辺飾り構造体２が図３に示す形態に形成される。この周辺飾り構造体２にあっては、図９に示す発射機構１０３から発射された球を遊技領域４０に案内する発射通路３８が、外バンド７と内バンド１８と発射通路形成部１６とで前側開放縦溝形状になっている。つまり、発射通路形成部１６は、発射通路３８の底部を構成する。また、外バンド７は、発射通路３８の左側面と当該左側面から右側に弧状に延長する丸形開口部１５の上部弧状側面とに一連に付設される。戻り球防止弁１１が、周辺飾り構造体２に取り付けられた場合、戻り球防止弁１１は、基部３６から外バンド７の側に位置する先端部に行くに従って、発射通路３８の出口から遊技領域４０の側に徐々に傾斜する格好になる。戻り球防止弁１１の先端は、外バンド７の遊技領域４０の側に位置する内側面に接触するかまたは接触する程度に近づいていればよい。この接触する程度は、戻り球防止弁１１の先端と外バンド７の内側面との間に１個の球の直径よりも小さい隙間が存在し、遊技領域４０から外バンド７の内側面に沿って発射通路３８の側に逆行する球が、上記戻り球防止弁１１の先端と外バンド７の内側面との間に引っかかることも通過することもできない範囲であればよい。
【００１２】
発射機構１０３から発射された球が、発射通路３８から戻り球防止弁１１を押し開けることによって、戻り球防止弁１１の先端部が、外バンド７から離れるように、戻り球防止弁１１の基部３６を基準として、戻り球防止弁１１が、全体的に遊技領域４０の側に弾性変形する。そして、戻り球防止弁１１を押し開けた球が、戻り球防止弁１１から遊技領域４０の側に離れることによって、戻り球防止弁１１の先端部が、外バンド７に近づくように、戻り球防止弁１１が、全体的に図３に示す形態に復元する。このように戻り球防止弁１１が、復元した形態において、発射通路３８から遊技領域４０に発射された球が、遊技領域４０から発射通路３８の側に逆行してきた場合、当該球が、戻り球防止弁１１に衝突し、戻り球防止弁１１が、当該球を遊技領域４０から発射通路３８に取り込まれることを防止して遊技領域４０に跳ね返す。周辺飾り基体４に取り付けられた不正防止バンド１３は、図９に示すパネル枠８１が、閉じられることによって、不正防止バンド１３が、図４に示す前面パネル８４の内側面（遊技盤１の側に位置する面）に接触し、遊技者が、ピアノ線や合成樹脂製薄帯板などの不正操作部材を遊技領域４０よりも下方の図５に示す遊技機枠７１の前側から遊技機枠７１の前面構成部品間の隙間を経由して遊技領域４０に挿入しようとした場合、パネルの内側面に接触した不正防止バンド１３が、不正操作部材を受け止めて不正操作部材の遊技領域４０への侵入を防止する。
【００１３】
図３に戻り、板状構造体３は、周辺飾り構造体２の発射通路３８を除く丸形開口部１５で囲まれる遊技領域４０を形成する、例えば、ポリカーボネート樹脂やアクリル樹脂のような、無色の光透過性の有る合成樹脂からなるものである。板状構造体３の前面には、センター飾り４１、一般入賞部品４２、作動入賞部品４３、始動入賞部品４４、可変入賞部品４５、遊技釘４６などの遊技部品が、遊技領域４０に位置して、取り付けられる。一般入賞部品４２は、球を遊技領域４０から取り込み、当該取り込んだ球を遊技領域４０の裏側に排出する、取込形である。一般入賞部品４２の内部には、図外の一般入賞球検出器を備える。作動入賞部品４３は、球を遊技領域４０から取り込み、当該取り込んだ球を遊技領域４０の裏側に取り込むことなく、遊技領域４０に排出する、通過形である。
【００１４】
作動入賞部品４３の内部には、図外の作動入賞球検出器を備える。始動入賞部品４４は、一対の羽根４７の下部を開閉中心とし、一対の羽根４７を図外の始動駆動源で左右方向に開閉する電動チューリップと呼ばれる構造である。始動入賞部品４４は、球を遊技領域４０から取り込み、当該取り込んだ球を遊技領域４０の裏側に排出する、取込形である。始動入賞部品４４の左右一対の羽根４７は、閉じた場合でも、球を受け入れ得る形態、受け入れない形態のいずれでも適用できる。始動入賞部品４４の内部には、図外の始動入賞球検出器を備える。可変入賞部品４５は、横長な長方形状の開閉体４８の下部を開閉中心とし、開閉体４８を図外の可変駆動源で前後方向に開閉するアタッカーまたは大入賞口と呼ばれる構造である。可変入賞部品４５の開閉体４８で閉じたり開かれたりする空洞形状の球受入部の内部には、カウントスイッチと呼ばれる図外の普通入賞球検出器と、Ｖスイッチと呼ばれる図外の特定入賞球検出器とを備える。可変入賞部品４５の球受入部に取り込まれた球は、普通入賞球検出器または特定入賞球検出器を通過した後に遊技盤１の裏側に排出される。よって、可変入賞部品４５は、取込形である。そして、図３に示すように、センター飾り４１と一般入賞部品４２と作動入賞部品４３と始動入賞部品４４と可変入賞部品４５および遊技釘４６を備えた板状構造体３が、周辺飾り構造体２の裏側から周辺飾り構造体２に取り付けられることによって、遊技盤１が図４および図５に示す形態に形成される。図５において、黒丸は遊技釘４６を示す。
【００１５】
図６および図７を参照し、遊技盤１の裏側の構造について説明する。周辺飾り構造体２は、板状構造体収納部５０を備える。この実施形態の場合、板状構造体収納部５０は、周辺飾り基体４の裏面から発射通路３８における底部である発射通路形成部１６の球の接触する前面５１と同一面となる深さに丸形開口部１５における外バンド７と内バンド１８との延長部に形成される。板状構造体３の裏面には、集合樋５２が、図外のタッピングスクリューのような止ねじで取り付けられる。集合樋５２は、図２に示す一般入賞部品４２、始動入賞部品４４、可変入賞部品４５、アウト口２１から遊技盤１の裏側に排出された球を下方に誘導して排出する。そして、板状構造体３が、周辺飾り構造体２の裏側から板状構造体収納部５０に収納され、板状構造体３の前面が、板状構造体収納部５０の裏面に接触することによって、板状構造体３の上方の一側部５３が、発射通路形成部１６の球出口端部５４とが、互いに左右方向に連接し、板状構造体３が、丸形開口部１３の後側を塞いで丸形開口部１３の内部に球の飛び交う遊技領域４０を形成し、板状構造体４０の球の接触する前面である遊技領域４０と発射通路３８における底部である発射通路形成部１６の球の接触する前面５１とが、同一面内に配置される。このように、板状構造体３が板状構造体収納部５０に収納され、図外のタッピングスクリューのような止ねじが、板状構造体３に形成された図外のねじ挿入孔から周辺飾り基体４に締結されることによって、遊技盤１が図８に示す形態に構成される。
【００１６】
実施形態の構造によれば、図１に示すように、板状構造体３が、周辺飾り構造体２の裏側から板状構造体収納部５０に収納され、周辺飾り構造体２に取り付けられることによって、板状構造体３の球Ｐの接触する前面である遊技領域４０と発射通路形成部１６の球Ｐの接触する前面５１とが同一面内に配置されている。よって、図１のｂ図に矢印Ｘで示すように、球Ｐが発射通路３８から遊技領域４０に移動する場合、球Ｐが前面５１から遊技領域４０に衝突することなく円滑に移動するという利点がある。図１のａ図に示すように、球Ｐが発射通路３８を移動する場合、球Ｐは外バンド７と前面５１との双方に接触するが、弧状突起１７と外バンド押さえ後側体５および外バンド押さえ前側体６は、球Ｐと接触しないような、寸法に設定されている。板状構造体３が光透過性の有る合成樹脂により形成されているので、板状構造体３の裏面に、プロジェクターと呼ばれる映写装置や液晶表示装置などのような電気的に表示形態を変えられる画像を表示画面に表示する表示器を設け、当該表示器により表示された画像を遊技盤１の前側から板状構造体３を通して遊技者に見えるようにすることができるという利点がある。板状構造体３の合成樹脂が無色であれば、遊技者が遊技盤１の前側から板状構造体３を通して見る画像を、一層、鮮明な物にすることができるという利点がある。
【００１７】
図９および図１０を参照し、前記遊技盤１を用いたパチンコ機について説明する。図９において、映写装置６０が、遮光性合成樹脂からなる前側に開放した箱形の装置筐体６１に、投影機６２、反射鏡６３、スクリーン６４を組み付けた、ユニットと呼ばれる単一集合構造体として形成される。この映写装置６０のスクリーン６４が可動枠７５の裏側から遊技機枠７１の中央開口部９６に収納され、スクリーン６４の前面が遊技主体収納室９５の裏壁の前面と同一面内に位置される。そして、映写装置１が遊技主体収納構造体７８の裏壁の裏面に取り付けられることによって、映写装置１が可動枠７５に取り付けられる。また、遊技盤１の遊技領域４０が前側に向けられ、遊技盤１が遊技機枠７１の前側から遊技主体収納室９５に挿入され、遊技盤１の下部が遊技主体棚１０１の上に載せられ、遊技盤１の左側部が遊技主体受部９８と遊技主体押圧部９７とで前後方向から挟まれた後、遊技盤１の右側部が後側に押され、遊技主体ロック部材９９のロック操作部１００が遊技盤１の取付部９のロック挿入孔２６に後側から挿入されて前側に突出した状態において、作業者がロック操作部１００を例えば右方向に９０度回転操作すると、ロック操作部１００がロック挿入孔２６の周りにおける取付部９と係合し、遊技盤１が可動枠７５に取り付けられる。遊技盤１が取り付けられた後、可動枠７５が閉じられるとともに、球皿構造体８２が閉じられる。
【００１８】
その状態において、球が球収納部９０に入れられた状態において、遊技者が発射操作機構９１を操作すると、発射機構１０３が球収納部９０から供給された球を１個ずつ発射操作機構９１の操作量に応じた発射力で遊技盤１の遊技領域４０に発射する。遊技領域４０に発射された球は、センター飾り４２や遊技釘４６で流れを変えられるとともに、一般入賞部品４３と作動入賞部品４４および始動入賞部品４４の何れかに入賞する。また、始動入賞部品４５への入賞の結果として可変入賞部品４４の開閉体４８が開閉し、この開閉体４８の開放中において、遊技領域４０から球が可変入賞部品４４に入賞する。これらの入賞の結果として、払出機構１０７が遊技機枠７１の裏側から遊技機枠７１の前側の球収納部９０に賞球としての球を払い出す。
【００１９】
図１０において、投影機６２の液晶表示器６５が電気的に画像を表示し、投影機６２のＬＥＤのような投影光源６６が電気的に光を画像の表示されている液晶表示器６５に照射し、その投影光Ｌが投影機３の投影レンズ６７で拡大され、その拡大された投影光Ｌが反射鏡６３で前側に反射してスクリーン６４の全域に上記液晶表示器６５で表示された画像を拡大して映写し、遊技機枠７１の前側から遊技者がスクリーン６４に映し出された画像を閉じられたパネル枠８１の前面パネル８４と遊技盤１の丸形開口部１５および光透過性の有る合成樹脂からなる板状構造体３を通して見ることをできる。これによって、遊技者は、スクリーン６４に映し出された画像を遊技領域４０の全域に見ながら遊技領域４０に行き交う球の動きとを見ることができる。
【産業上の利用可能性】
【００２０】
遊技盤１の前側から板状構造体３を通してプロジェクターと呼ばれる映写装置や液晶表示装置などのような電気的に表示形態を変えられる画像を表示画面に表示する表示器の画像を遊技者に見せることはできないものの、板状構造体３は、ベニヤのような合板かなる基板の前面を意匠盤面として形成したものや、遮光性の有る有色な合成樹脂からなる基板の前面を意匠盤面として形成したものであってもよい。
【図面の簡単な説明】
【００２１】
【図１】遊技盤における発射通路の周りの断面を示す。（一実施形態）。
【図２】遊技盤の構成部品を前側から示す分解斜視図（同実施形態）。
【図３】遊技盤を前側から示す分解斜視図（同実施形態）。
【図４】遊技盤を前側から示す斜視図（同実施形態）。
【図５】遊技盤を前側から示す正面図（同実施形態）。
【図６】遊技盤を裏側から示す分解斜視図（同実施形態）。
【図７】ａ図は図６のＡ−Ａ線切断断面図、ｂ図は図６のＢ−Ｂ線切断断面図、（同実施形態）。
【図８】遊技盤を裏側から示す斜視図（同実施形態）。
【図９】パチンコ機を前側から示す分解斜視図（同実施形態）。
【図１０】遊技盤と映写装置と遊技機枠との関係を示す模式図（同実施形態）。
【符号の説明】
【００２２】
１  遊技盤
２  周辺飾り構造体
３  板状構造体
７  外バンド
１５  丸形開口部
１６  底部
１８  内バンド
３８  発射通路
４０  遊技領域
５０  板状構造体収納部
５１  前面
【図１】
2005185401.tif 000003
【図２】
2005185401.tif 000004
【図３】
2005185401.tif 000005
【図４】
2005185401.tif 000006
【図５】
2005185401.tif 000007
【図６】
2005185401.tif 000008
【図７】
2005185401.tif 000009
【図８】
2005185401.tif 000010
【図９】
2005185401.tif 000011
【図１０】
2005185401.tif 000012